(57)【要約】【課題】複数の照明器具13からの可視光通信データの受信が重複するような場所でも、受信側では可視光通信データを正しく受信できる照明制御システム11を提供する。【解決手段】可視光通信データを送出する機能を有する複数の照明器具13を備える。複数の照明器具13をグループ毎に割り付け、グループ毎に照明器具13からの可視光通信データの送出を指令する照明主操作盤12を備える。同一グループ内の複数の照明器具13から送出する可視光通信データの送出タイミングをそれぞれ異ならせる。複数の照明器具13からの可視光通信データの受信が重複するような場所でも、受信側では可視光通信データを正しく受信できる。【選択図】図１
2008235115.tif 000002
【特許請求の範囲】
【請求項１】
グループ毎に可視光通信データの送出を指令する照明主操作盤と；
可視光通信データを送出する機能をそれぞれ有するとともに、照明主操作盤によってグループ毎に割り付けられ、照明主操作盤からのグループ毎の可視光通信データの送出指令により同一グループ内において可視光通信データの送出タイミングがそれぞれ異なるように可視光通信データを送出する複数の照明器具と；
を具備していることを特徴とする照明制御システム。
【請求項２】
異なるグループの照明器具は、可視光通信データの送出タイミングがそれぞれ異なるように可視光通信データを送出する
ことを特徴とする請求項１記載の照明制御システム。
【請求項３】
照明器具は、主光源としての点灯する発光ダイオード素子が可視光通信データを送出する
ことを特徴とする請求項１または２記載の照明制御システム。
【発明の詳細な説明】
【技術分野】
【０００１】
本発明は、可視光通信データを送出する照明制御システムに関する。
【背景技術】
【０００２】
従来、例えば、オフィスや店舗などの施設では、その施設に設置されている複数の照明器具をフロア毎や店舗毎のグループに割り付け、各グループ内の照明器具を一括して制御、監視および管理するようにした照明制御システムがある。
【０００３】
また、このような照明制御システムでは、照明光に重畳させて可視光通信データを送出する機能を有する照明器具と、この照明器具から送出される可視光通信データを受信する携帯形の受信機とを用い、受信機を携帯する人に任意の情報を付与できるようにしたものもある。
【０００４】
しかし、複数の照明器具から同一の可視光通信データを同じタイミングで送出した場合、隣り合った複数の照明器具からの可視光通信データの受信が重複するような場所では、受信機で複数の可視光通信データを同時に受けてしまうことから、可視光通信データを正しく受信できないことがある。
【０００５】
そこで、隣り合った複数の照明器具側ではそれぞれ送出する可視光通信データの周波数成分を異ならせ、受信機側ではいずれか１つの周波数成分の可視光通信データを受信するように構成することにより、隣り合った複数の照明器具からの可視光通信データの受信が重複する場所でも、いずれか１つの可視光通信データを正しく受信できるようにしている（例えば、特許文献１参照。）。
【特許文献１】特開２００５−１７６２５８号公報（第３−４頁、図１７）
【発明の開示】
【発明が解決しようとする課題】
【０００６】
上述のように、隣り合った複数の照明器具からの可視光通信データの受信が重複する場所では、受信機で可視光通信データを正しく受信できないことがある。
【０００７】
また、隣り合った複数の照明器具側ではそれぞれ送出する可視光通信データの周波数成分を異ならせ、受信機側ではいずれか１つの周波数成分の可視光通信データを受信することにより、隣り合った複数の照明器具からの可視光通信データの受信が重複する場所でも、いずれか１つの可視光通信データを正しく受信できるようにしているが、複数の照明器具側および受信機側とも異なる周波数成分の可視光通信データの送信および受信に対応しなければならず、複数の照明器具側および受信機側とも構成および制御が複雑化する問題がある。
【０００８】
本発明は、このような点に鑑みなされたもので、構成や制御を複雑化することなく、複数の照明器具からの可視光通信データの受信が重複するような場所でも、受信側で可視光通信データを正しく受信することが可能となる照明制御システムを提供することを目的とする。
【課題を解決するための手段】
【０００９】
請求項１記載の照明制御システムは、グループ毎に可視光通信データの送出を指令する照明主操作盤と；可視光通信データを送出する機能をそれぞれ有するとともに、照明主操作盤によってグループ毎に割り付けられ、照明主操作盤からのグループ毎の可視光通信データの送出指令により同一グループ内において可視光通信データの送出タイミングがそれぞれ異なるように可視光通信データを送出する複数の照明器具と；を具備しているものである。
【００１０】
照明主操作盤と複数の照明器具とは、例えば、信号伝送線、電力線通信、あるいは無線通信などによって通信可能とする。
【００１１】
照明器具は、例えば、蛍光ランプ、白熱ランプ、発光ダイオード素子などの照明用の光源が用いられる。照明器具からの可視光通信データの送出には、これら照明用の光源が発する光に可視光通信データを重畳させても、発光ダイオード素子などのデータ送出専用の光源を用いてもよい。
【００１２】
同一グループ内の複数の照明器具からの可視光通信データの送出タイミングは、照明主操作盤からの可視光通信データの送信指令を受けてから、グループ内で予め設定されている順番で各照明器具から送出するようにしても、あるいは、照明主操作盤からグループ内の各照明器具に順次指令して各照明器具から順次送出するようにしてもよい。
【００１３】
そして、同一グループ内の複数の照明器具から送出する可視光通信データの送出タイミングをそれぞれ異ならせるため、構成や制御を複雑化することなく、複数の照明器具からの可視光通信データの受信が重複するような場所でも、受信側で可視光通信データを正しく受信することが可能となる。
【００１４】
請求項２記載の照明制御システムは、請求項１記載の照明制御システムにおいて、異なるグループの照明器具は、可視光通信データの送出タイミングがそれぞれ異なるように可視光通信データを送出するものである。
【００１５】
異なるグループの照明器具での可視光通信データの送出タイミングは、例えば、照明主制御盤から各グループへの可視光通信データの送出指令を出すタイミングをずらしたり、異なるグループ間で予め設定されている順番で各照明器具から送出するようにしてもよい。
【００１６】
そして、異なるグループの照明器具から送出する可視光通信データの送出タイミングをそれぞれ異ならせるため、異なるグループの照明器具からの可視光通信データの受信が重複するような場所でも、受信側で可視光通信データを正しく受信することが可能となる。
【００１７】
請求項３記載の照明制御システムは、請求項１または２記載の照明制御システムにおいて、照明器具は、主光源としての点灯する発光ダイオード素子が可視光通信データを送出するものである。
【００１８】
発光ダイオード素子は、固体発光素子であることから、例えば蛍光ランプなどのように放電現象によって発生した照明光に可視光通信データを重畳する場合に比べて、可視光通信データの送出が容易に実現可能となる。
【発明の効果】
【００１９】
請求項１記載の照明制御システムによれば、同一グループ内の複数の照明器具から送出する可視光通信データの送出タイミングをそれぞれ異ならせるため、構成や制御を複雑化することなく、複数の照明器具からの可視光通信データの受信が重複するような場所でも、受信側で可視光通信データを正しく受信することができる。
【００２０】
請求項２記載の照明制御システムによれば、請求項１記載の照明制御システムの効果に加えて、異なるグループの照明器具から送出する可視光通信データの送出タイミングをそれぞれ異ならせるため、異なるグループの照明器具からの可視光通信データの受信が重複するような場所でも、受信側で可視光通信データを正しく受信することができる。
【００２１】
請求項３記載の照明制御システムによれば、請求項１または２記載の照明制御システムの効果に加えて、照明器具では発光ダイオード素子を用いて可視光通信データを送出するため、可視光通信データを容易に送出できる。
【発明を実施するための最良の形態】
【００２２】
以下、本発明の一実施の形態を、図面を参照して説明する。
【００２３】
図１は照明制御システムの構成図である。
【００２４】
照明制御システム11は、例えば複数の店舗が入った施設の各店舗毎に照明を制御するもので、施設の管理室などに設置される照明主操作盤12と、施設に設置される複数の照明器具13とを備え、これら照明主操作盤12と複数の照明器具13とが信号伝送線14を介して互いに通信可能とされている。
【００２５】
照明主操作盤12は、複数の照明器具13を一括して制御、監視および管理するものであり、汎用ネットワーク15を介して外部からの監視および操作も可能としている。そして、この照明主操作盤12は、例えば施設の店舗毎やエリア毎などで、複数の照明器具13をグループ毎に割り付けて設定し、各グループ毎に個別に制御可能とする機能を有している。
【００２６】
各照明器具13は、器具本体16、および例えば蛍光灯、白熱ランプ、発光ダイオード素子などの照明用の光源17を有している。さらに、各照明器具13は、それぞれ固有のアドレスを有し、このアドレスを用いて信号伝送線14を介して照明主操作盤12と通信する通信機能、可視光通信データを送出する機能、光源17の制御、通信の制御および可視光通信データの送出の制御などの制御機能を有している。可視光通信データの送出には、照明用の光源17が発する照明光に可視光通信データを重畳させても、発光ダイオード素子などのデータ送出専用の光源を別に用いてもよい。そして、複数の照明器具13は、照明主操作盤12により、例えば施設の店舗毎やエリア毎などで、グループ毎に割り付け設定されている。
【００２７】
また、照明制御システム11には、可視光通信データを受信する受信機18が含まれている。この受信機18は、例えば、専用の携帯端末や、携帯電話などの携帯機器などがあり、受信した可視光通信データの内容を表示や音で出力することができる。
【００２８】
次に、照明制御システム11の作用について説明する。
【００２９】
照明主操作盤12は、例えば、予め設定されたタイムスケジュールなどに従って、グループを特定するグループ番号とともに照明器具13を制御する照明制御データを信号伝送線14を通じて送信する。
【００３０】
この信号伝送線14を通じて照明主操作盤12から送信されてきたグループ番号に割り付けられている各照明器具13では、照明制御データを受信し、受信した照明制御データに従って光源17の点灯、消灯あるいは調光点灯などの点灯状態を制御する。
【００３１】
また、照明主操作盤12は、例えば店舗毎の情報や商品の情報などが含まれる可視光通信データを、グループを特定するグループ番号とともに信号伝送線14を通じて送信する。
【００３２】
この信号伝送線14を通じて照明主操作盤12から送信されてきたグループ番号に割り付けられている各照明器具13では、可視光通信データを受信し、受信した同一の可視光通信データを照明用の光源17が発する照明光に重畳させて送出、あるいは発光ダイオード素子などのデータ送出専用の光源が発する光に重畳させて送出する。
【００３３】
このとき、同一グループ内の複数の照明器具13では、照明主操作盤12からの可視光通信データの送信指令を一斉に受けてから、グループ内で予め設定されている順番で、送出タイミングが重複することのない送出タイミングの間隔をもって可視光通信データを送出する。この送出タイミングの順番は、例えば、照明主操作盤12で複数の照明器具13をグループ設定した際の順番で設定しても、照明主操作盤12で任意に設定してもよい。
【００３４】
これにより、同一グループに割り付けられている複数の照明器具13が隣り合って設置されている店舗内に受信機18を持ち込んだ場合、隣り合う照明器具13からの可視光通信データの受信が重複するような場所でも、その受信機18では、各照明器具13から異なる送出タイミングで送出される可視光通信データを正しく受信することができる。例えば、図１において、受信機18が２つの隣り合う照明器具13の間のデータ受信可能な位置にある場合、まず、一方の照明器具13から可視光通信データａを送信し、この可視光通信データａの送信を終えてから、他方の照明器具13から可視光通信データｂを送信し、可視光通信データａ，ｂの受信が重複するのを避ける。
【００３５】
また、例えば、隣り合う店舗の境付近などで、異なるグループに割り付けられている照明器具13が隣接しているような場合、それら照明器具13から可視光通信データを同じ送出タイミングで送出したのでは受信機18での可視光通信データの受信が重複してしまうことになる。
【００３６】
そのため、少なくとも隣り合う異なるグループでは、異なるグループ同士で照明器具13からの可視光通信データの送出タイミングがそれぞれ異なるようにすることにより、受信機18では、各照明器具13から異なる送出タイミングで送出される可視光通信データをそれぞれ正しく受信することができる。この異なるグループの照明器具13での可視光通信データの送出タイミングは、例えば、照明主操作盤12から各グループへの可視光通信データの送出指令を出すタイミングをずらしたり、異なるグループ間で予め設定されている順番で各照明器具13から送出するようにしてもよい。なお、異なるグループ間で送出される可視光通信データは、互いに異なったデータでもよいし、同一の可視光通信データを送出してもよい。
【００３７】
また、照明器具13から可視光通信データを送出するのに発光ダイオード素子を用いることにより、例えば蛍光ランプの照明光に可視光通信データを重畳する場合に比べて、可視光通信データの送出が容易に実現できる。
【００３８】
なお、同一グループ内の複数の照明器具13からの可視光通信データの送出タイミングは、照明主操作盤12から照明器具13に対して可視光通信データを送る際にその送出間隔を一緒に付加してもよく、あるいは各照明器具13に対して可視光通信データの送出を順次指令して各照明器具13から順次送出するようにしてもよい。
【００３９】
また、照明主操作盤12と照明器具13との通信は、これら照明主操作盤12および照明器具13が接続される電力線を用いた電力線通信を利用してよく、あるいは無線通信を利用してもよい。
【図面の簡単な説明】
【００４０】
【図１】本発明の一実施の形態を示す照明制御システムの構成図である。
【符号の説明】
【００４１】
11    照明制御システム
12    照明主操作盤
13    照明器具
【図１】
2008235115.tif 000003